(57)【要約】【課題】静電気などの外来ノイズの影響を抑えることにより動作の安定性を確保する。【解決手段】一端部分に光走査機構を有するスキャナモジュール８００と表示部８０１とを備え、他端部分に複数のキーを備えた操作部８０２を備え、スキャナモジュール８００から出射したレーザ光でバーコードを走査してバーコードの読み取りを行うバーコードハンディターミナル８０３に関し、スキャナモジュール８００及び表示部８０１が位置する一端部分に配置された、制御回路を含むメイン基板８０４と、操作部８０２が位置する他端部分に配置されたキー基板８０５とを有し、キー基板８０５に電源回路とノイズフィルタが組み込まれている。【選択図】      図３１
2004220504.tif 000002
【特許請求の範囲】
【請求項１】
一端部分に光走査機構を有するスキャナモジュールと表示部とを備え、他端部分に複数のキーを備えた操作部を備え、スキャナモジュール８００から出射したレーザ光でバーコードを走査してバーコードの読み取りを行うバーコードハンディターミナルにおいて、
前記スキャナモジュール及び表示部が位置する一端部分に配置された、制御回路を含むメイン基板と、
前記操作部が位置する他端部分に配置されたキー基板とを有し、
前記キー基板に電源部とノイズフィルタが組み込まれていることを特徴とするバーコードハンディターミナル。
【請求項２】
前記スキャナモジュールを保持するモジュール用ホルダと、前記バーコードハンディターミナルから斜め下方にレーザ光を出射するために前記スキャナモジュールから出射したレーザ光を反射するための反射ミラーを保持するためのミラー用ホルダとを有し、
前記モジュール用ホルダと前記ミラー用ホルダとが一体的に構成されていることを特徴とする請求項１に記載のバーコードハンディターミナル。
【請求項３】
前記キー基板には、前記メイン基板から最も遠い位置に静電気発生源である金属接触端子が設けられ、該金属接触端子と前記電源部との間に前記ノイズフィルタが設けられていることを特徴とする請求項１又は２に記載のバーコードハンディターミナル。
【請求項４】
前記スキャナモジュールから出射したレーザ光が外部に出るためのレーザ光透過窓が、前記表示が配置された一端部分の背面に形成されていることを特徴とする請求項１〜３のいずれか一項に記載のバーコードハンディターミナル。
【発明の詳細な説明】
【０００１】
【発明の属する技術分野】
この発明は、ユーザが携帯してバーコードの読み取りに用いられるバーコードハンディターミナルに関する。
【０００２】
【従来の技術】
バーコードハンディターミナルは、工場や倉庫内で商品やその梱包箱に付されたバーコードの読み取りに用いられる。図２６は、バーコードハンディターミナル９００に内蔵したスキャナモジュール９０１をモジュール用ホルダ９０２で保持して、ハンディターミナル９００の一端面つまり上端面からレーザ光を出射する形式の従来例を示す。しかし、この図２６の従来例９００にあっては、図２７に図示するように、机９０３の上に置いた伝票９０４に印刷されたラベルのバーコードを読み取るのにハンディターミナル９００を把持した作業者の手９０５を不自然に曲げてレーザ光を伝票９０４に差し向けることが必要であった。
【０００３】
これを改善すべく、図２８に示すように、内蔵したスキャナモジュール９０１を斜めに配置させたバーコードハンディターミナル９１０が提案されている。このハンディターミナル９１０によれば、例えばθ＝６０度の角度で斜め下方にレーザ光が出射するため、ハンディターミナル９１０をほぼ水平に保持した状態でバーコードを読み取ることができるという利便性があるが、スキャナモジュール９０１を斜めに配置した関係上、ハンディターミナル９１０の厚みが大きくなってしまうという欠点がある。
【０００４】
上記図２８のバーコードハンディターミナル９１０の欠点を改善したバーコードハンディターミナル９２０として、図２９に示すように、内蔵したスキャナモジュール９０１の前方に平板状の反射ミラー９２１を配置することによりレーザ光を斜め下方に出射させることが提案されている。
【０００５】
この図２９のハンディターミナル９２０にあっては、その一端つまり上端に延長部９２２を設けて、この延長部９２２に、反射ミラー９２１を含むミラー用ホルダ９２３を配置させるものであるため、ハンディターミナル９２０の厚みを比較的薄くすることができるものの、ハンディターミナル９２０の全長が長くなってしまうという欠点がある。
【０００６】
【特許文献１】
特開平７−３７０２５号公報
【０００７】
この特開平７−３７０２５号公報は、表示部を備えたバーコードハンディターミナル本体の上端面に大きな開口を設け、この開口にバーコード読取装置を上下反転可能に挿入する構成を採用すると共に、バーコード読取装置の一部をハンディターミナル本体の前方又は上方に突出した状態で配置させて、このバーコード読取装置から斜め下方又は上方にレーザ光を出射させることを提案している。この開示のバーコードハンディターミナルにあっては、ユーザの選択により、バーコード読取装置を上下反転させることで、ハンディターミナル（バーコード読取装置）からレーザ光を斜め上方又は斜め下方に出射させることが可能になる。
【０００８】
【発明が解決しようとする課題】
例えば図２９に図示の従来の薄型のバーコードハンディターミナル９２０を例に問題点を説明すると、反射ミラー９２１及びミラー用ホルダ部９２３を内蔵するために延長部９２２を設けたことから、ハンディターミナル９２０の全長が長くなるという欠点を有するだけでなく、その内部に配置されるプリント基板は、図３０に図示するように、ＬＣＤモジュール９３０に対応する部分に電源基板９３１が配置され、操作部又は把持部９３２に対応する部分に、充電池ユニット９３３に隣接して、制御回路を含むメイン基板９３４及びキー基板９３５が配置されていた。
【０００９】
しかし、このような配置では、バーコードハンディターミナル９２０の充電端子９３６や充電池ユニット９３３との間の電源端子９３７に隣接して制御部が位置することになり、充電端子９３４や電源端子９３６などの金属接触部からの静電気などの侵入に対して充分なバリアを確保することが難しく、このため、ＣＰＵの暴走や回路の異常が発生して、データの消失などの問題を招く可能性を含んでしまうという問題を有している。
【００１０】
また、バーコードハンディターミナル９２０の操作部つまり把持部９３２に、ＣＰＵやＲＯＭ、ＲＡＭなどが実装されるメイン基板９３４の他に各種キースイッチのためのキー基板９３５を配置させるために操作部つまり把持部９３２の厚みが必要となっていた。
【００１１】
また、従来は、メイン基板９３４に、ＣＰＵ、ＲＯＭやＲＡＭ等のメモリ手段をＣＰＵバスで接続して搭載しなければならないため、ＣＰＵに対する結線本数が多く、これを一体的な基板に実装しなればならないため、基板を複数のブロックに分割して独立した複数の基板に分けることが難しく、規模の大きい一体的な基板構成を採用しなければならず、このため、このような規模の大きな基板９３４は、必然的に、大きなスペースを確保可能なハンディターミナル９２０の把持部９３２つまり各種キーが設けられる部分の内部に配置しなけれならなかった。
【００１２】
本発明の目的は、静電気などの外来ノイズの影響を抑えることにより動作の安定性を確保することのできるバーコードハンディターミナルを提供することにある。
【００１３】
本発明の更なる目的は、操作部つまり把持部の厚みを薄くすることのできるバーコードハンディターミナルを提供することにある。
【００１４】
本発明の更なる目的は、全長を更に小さくすることのできる薄型のバーコードハンディターミナルを提供することにある。
【００１５】
【課題を解決するための手段】
かかる技術的課題は、本発明によれば、図３１を参照して、
一端部分に光走査機構を有するスキャナモジュール８００と表示部８０１とを備え、他端部分に複数のキーを備えた操作部８０２を備え、スキャナモジュール８００から出射したレーザ光でバーコードを走査してバーコードの読み取りを行うバーコードハンディターミナル８０３において、
スキャナモジュール８００及び表示部８０１が位置する一端部分に配置された、制御回路を含むメイン基板８０４と、
操作部８０２が位置する他端部分に配置されたキー基板８０５とを有し、
キー基板８０５に電源回路とノイズフィルタが組み込まれていることを特徴とするバーコードハンディターミナル８０３を提供することにより達成される。
【００１６】
本発明のバーコードハンディターミナル８０３によれば、充電池ユニット８０６などが装着される操作部８０２にノイズフィルタなどを含むキー基板８０５を配置し、これとは離れたハンディターミナル８０３の一端部分にメイン基板８０４を配置したことから、このノイズフィルタによって制御回路への静電気などの影響を抑えることができることに加えて、キー基板８０５に組み込まれた電源回路にあっても実質的にノイズフィルタの機能を発揮することから、このキー基板８０５の電源回路によっても制御回路への静電気などの外来ノイズの影響を抑えることができる。
【００１７】
また、バーコードハンディターミナル８０３の一端部分つまりＬＣＤなどの表示部８０１が配置された部分に、ＣＰＵなどの比較的大きなデバイスを実装したメイン基板８０４を配置したことから、操作部つまり把持部８０２に配置するキー基板８０５が占有する厚みは比較的薄く、これにより把持部８０２を薄くすることができる。この把持部８０２が薄くなれば、ハンディターミナル８０３の操作性が向上することは勿論であるが、充電池ユニット８０６の厚みなどの設計の自在性を向上することができる。
【００１８】
【発明の実施の形態】
本発明の好ましい実施の形態にあっては、スキャナモジュール８００と反射ミラー８０８とが一体的に構成され、最も好ましくは、一体成形されたホルダ８０９によって保持され、バーコードハンディターミナル８０３から斜め下方に向けてレーザ光を出射する。
【００１９】
すなわち、スキャナモジュール８００を保持するためのモジュール用ホルダ部と、反射ミラー８０８を保持するためのミラー用ホルダとが一体的に構成され、好ましくは、これらが一体成形されているため、反射ミラー８０８をスキャナモジュール８００に接近して配置することができ、スキャナモジュール８００から出射されるレーザ光の走査範囲つまり扇状に広がりのある走査範囲を比較的小さな反射ミラー８０８で確保できる。
【００２０】
換言すれば、従来の図２９に図示のバーコードハンディターミナル９２０のように、モジュール用ホルダ９０２とミラー用ホルダ９２２とを分離した場合には、自ずと反射ミラー９２１がスキャナモジュール９０１から離れた位置に配置されることになり、この反射ミラー９２１でスキャナモジュール９０１から出射されるレーザ光の走査範囲をカバーするには比較的大きな反射ミラー９２１を用意せざるを得ない。このことは、バーコードハンディターミナル９２０の大型化の要因になることは言うまでもない。これに対して、本発明によれば、反射ミラー８０８が比較的小さなもので足りるため、バーコードハンディターミナル８０３の全長を短縮することが可能である。
【００２１】
本発明の好ましい実施の形態にあっては、バーコードハンディターミナル８０３から出射するレーザ光が通過するレーザ光透過窓８１０が、ＬＣＤなどの表示部８０１に対向したバーコードハンディターミナル８０３の背面に形成される。
【００２２】
本発明にあっては、制御回路を含むメイン基板８０４とキー基板８０５とが、図３２に示すように、一つの共通のプリント回路基板で構成してもよい。
【００２３】
【実施例】
添付の図面を参照して本発明の好ましい実施例を以下に詳しく説明する。
【００２４】
図１を参照して実施例のバーコードハンディターミナル１の概要を説明すると、バーコードハンディターミナル１は、ハンディターミナル本体（ＨＴ本体）２を有する。また、ハンディターミナル１は、後に詳しく説明するように、ＨＴ本体２に対して選択的に装着可能な、専用充電池ユニット３と、３本の単４電池を横並びの状態で収容可能な専用乾電池ボックス４とを含む、いわゆるコードレスハンディターミナルである。ハンディターミナル１は、また、シリアル通信ユニット５を更に含み、このシリアル通信ユニット５は、デバッグ作業の際に、専用充電池ユニット３又は専用乾電池ボックス４の代わりにＨＴ本体２に装着される。
【００２５】
図２を参照して、この図２はバーコードハンディターミナル１を正面から見た図である。ＨＴ本体２は、表示部としてＨＴ本体２の前面に配置された４０×４０ｍｍの大きさのＬＣＤ７と、動作確認表示手段としてＨＴ本体２の前面の上端に配置された赤、緑、オレンジの３色を使い分けることのできる複数のＬＥＤ８と、ＬＣＤ７の下方に位置する操作部９としてのキー入力部とを有する。キー入力部は、本体２の前面に配置された、メニューキー１０、バーコードのスキャンを開始するためのトリガーキー１１，４方向キー１２，キャンセルキー１３、エンター（ＥＮＴ）キー１４、テンキー１５、複数のファンクションキー１６、電源スイッチ１７などを含む。また、ＨＴ本体２の側面にはサイドトリガーキー１８が配置されている。
【００２６】
図３は、シリアル通信ユニット５を装着した状態のハンディターミナル１を背面側から見た斜視図である。ＨＴ本体２の背面には、その上端部分つまりＬＣＤ７と対向する箇所の上部にレーザ光透過窓（フィルタ）２０が設けられ、この窓２０を通じて図外のバーコードの読み取りを行うことができる。また、ＨＴ本体２の背面の下端部には、一対の充電端子２１が設けられている。ＨＴ本体２は、また下端面の中央に光通信窓（赤外線透過フィルタ）２２（図２、図６）を有する。
【００２７】
バーコードハンディターミナル１を含むシステムは、ホストコンピュータ（図示せず）とのインターフェース及び図示しないＡＣアダプタを接続して商用電源を使った充電のインタフェースを構成する置き台３０を有する。すなわち、ハンディターミナル１は、ハンディターミナル１を置き台３０に載置することで、ホストコンピュータとの通信を行うことができ、通常の運用つまり通常の作業によって記録したデータをホストコンピュータに送信したり、ホストコンピュータからの作業指示、品名リストなどの情報を受信することができる。
【００２８】
バーコードハンディターミナル１と置き台３０との間の通信は光通信、典型的には赤外線通信（ＩｒＤＡ通信）により行われる。置き台３０には、ホストコンピュータ（図示せず）に接続された通信ケーブルを接続するためのコネクタ３３（図８）が設けられており、また、ハンディターミナル１を置き台３０に載置したときに、ハンディターミナル側光通信窓２２が対面する位置に、置き台側光通信窓（フィルタ）３１が設けられている（図７）。
【００２９】
本体２に充電池ユニット３を装着したときのハンディターミナル１を置き台３０に載置すると、置き台３０に設けられた一対の充電用端子３２が、ＨＴ本体２の下端部の一対の充電端子２１と電気的に接触し、これにより商用電源を用いてハンディターミナル１（充電池ユニット３）を充電することができる。このため、置き台３０には、商用電源に接続したＡＣアダプタのジャックを受け入れることのできる電源ポート３４（図８）が設けられている。
【００３０】
先に説明したように、図３は、シリアル通信ユニット５を装着した状態のハンディターミナル１を背面側から見た斜視図である。スライド式ロック３７を操作することにより、図示のシリアル通信ユニット５をＨＴ本体２から取り外すと、ＨＴ本体２の背面には、操作部９と対向する箇所を大きく切り欠いた形状の外部からアクセス可能な凹所２３（図４）が出現し、この凹所２３に充電池ユニット３又は乾電池ボックス４を選択的に装着することができ、これらもスライド式ロック３７によってＨＴ本体２に固定され、また、取り外すことができる。
【００３１】
ＨＴ本体２の凹所２３には、図５から最も良く理解できるように、その下端部分に、充電池ユニット３などの端子群３５（図１）と対応する位置に５つの出没可能な金属接触端子群２４が設けられており、この接触端子群２４は突出方向に付勢されている。図８を参照して、ＨＴ本体２に設けられた５つの端子群２４の構成は、次のとおりである。
【００３２】
（１）ＧＮＤ端子２４ａ
（２）充電池ユニット、乾電池ボックス、シリアル通信ユニットのプラス電源端子２４ａ
（３）充電池ユニットを特定するための端子２４ｂ
（４）シリアル通信の送受信端子２４ｃ
【００３３】
シリアル通信ユニット５は、図１に示すように、その側面に、ＡＣアダプタ５２から延びるラインの端に設けられたジャック５３を受け入れる電源ポート５４と、シリアル通信ケーブル５５の一端に設けられたジャック５６を受け入れる通信ポート５７とが設けられている。
【００３４】
図８は、ＨＴ本体２及び置き台３０の概略的な回路図である。ＨＴ本体２は、ＣＰＵ２０１、ＲＯＭ２０２、ＲＡＭ２０３などを有し、ＣＰＵ２０１はＲＯＭ２０２に書き込まれたプログラムに従って動作して確認ＬＥＤ８、ＬＣＤ表示部７などを制御し、バーコードリーダによって読み込まれたデータを処理してＲＡＭ２０３の所定領域に記録する。なお、ＨＴ本体２は、確認ＬＥＤ８に加えてブザーやバイブレータなどの音及び振動による確認手段を有し、これらの確認手段もＣＰＵ２０１によって制御される。
【００３５】
ＨＴ本体２は、その下端面の光通信窓２２に臨んで配置された受発光素子２０４を使って通信するためのＩｒＤＡ部２０５及びデバッグ用のシリアル通信部２０６を有し、これらのＩｒＤＡ部２０５及びシリアル通信部２０６はＣＰＵ２０１によって制御される。
【００３６】
ＨＴ本体２は電源制御部２０７を有し、この電源制御部２０７は充電コントロール２０８、電源回路２０９及び電圧検出回路２１０を含み、ＨＴ本体２に充電池ユニット３が装着されているときには、これが充電池ユニット３であることを端子２４ｂを通じて認識すると、充電コントロール（充電回路）２０８により充電池ユニット３の充電を行う。電源制御部２０７は、また、電源回路２０９を有し、電源回路２０９によってＨＴ本体２内のデバイスに電力が供給される。
【００３７】
置き台３０は、ＡＣアダプタを経て供給される商用電源を電源回路３０１でＨＴ本体２で使用可能な電圧（７Ｖ）に変換して充電用端子３２に印加する。置き台３０は、また、ホストコンピュータと通信するための通信インターフェース制御及び処理部３０２を有し、ハンディターミナル１は、置き台３０に載置することで、この置き台３０の光通信窓（赤外線透過フィルタ）３１に臨んで設置された受発光素子３０３を使ってホストコンピュータと通信することができる。
【００３８】
図９は、シリアル通信ユニット５の回路ブロック図である。シリアル通信ユニット５は、ＡＣアダプタで直流に変換された商用電源を受け取ってＨＴ本体２が使用可能な電圧に変換する電源回路５０１を有し、この電源回路５０１はユニット５の端子群３５に接続されており、端子群３５を使ってＨＴ本体２に電源を供給することができる。
【００３９】
シリアル通信ユニット５は、また、外部コンピュータとの通信信号の電位と、ＨＴ本体２内部の通信信号の電圧とを相互に変換するためのレベルコンバータ５０２とを有し、このレベルコンバータ５０２の動作電力は電源回路５０１から供給される。
【００４０】
実施例のハンディターミナル１にあっては、応用プログラムを開発してデバッグを行うときには、ＨＴ本体２にシリアル通信ユニット５を装着して、このシリアル通信ユニット５の通信ポート５７を介して外部コンピュータと接続することにより、外部コンピュータを用いてデバッグを行うことができ、また、このデバッグ作業中、シリアル通信ユニット５の使用するときには、このユニット５の電源ポート５４（図１）にＡＣアダプタ５２を接続することで、商用電源を使ってデバッグを実施することができる。
【００４１】
ハンディターミナル１の通常の運用では、シリアル通信ユニット５を取り外して、その代わりに専用充電池ユニット３又は専用乾電池ボックス４をＨＴ本体２に装着することで充電池又は乾電池によりハンディターミナル１を動作させることができる。なお、これらシリアル通信ユニット５、充電池ユニット３、乾電池ボックス４の選択的な装着は、ＨＴ本体２の共通のスライド式ロック３７を用いて行うことができる。
【００４２】
ハンディターミナル１の通常の運用において、ハンディターミナル１に蓄積されたデータは、ハンディターミナル１を置き台３０に載置することで、この置き台３０に接続されたホストコンピュータに供給することができる。また、ハンディターミナル１と置き台３０との間は赤外線通信であるため、ハンディターミナル１を単に置き台３０に載置するだけでよく、通信のための結線作業は不要である。
【００４３】
また、充電池ユニット３がＨＴ本体２に装着されているときには、置き台３０にハンディターミナル１を載置することで商用電源を使った充電を行うことができる。
【００４４】
図１０〜図２５を参照して、ＨＴ本体２の詳細を説明すると、ＨＴ本体２の樹脂成形ケース２１０は、互いに分離可能な上ケース２１１と下ケース２１２とからなる。上ケース２１１は、上ケース本体２１３の全周に亘って延びる第１周囲壁２１４を有する。また上ケース本体２１３には、その上部にＬＣＤ用の窓２１５が形成され、下部に操作部９に含まれる各種のキー用の複数の穴２１６が形成される。
【００４５】
下ケース２１２は、下ケース本体２１８の全周に亘って延びる第２周囲壁２１９を有する。下ケース本体２１８は、２段の段付きであり、上端部分にレーザ光透過窓２０を含む上部２２０が深く、下部２２１が浅く構成され、この深さの浅い下部２２１によって、上述した充電池ユニット３などを装着するための凹所２３が形成されている。
【００４６】
図１１に示すように、上ケース２１１の第１周囲壁２１４には、連続して延びる突条２２５が形成されている。また、下ケース２１２の第２周囲壁２１９には、上ケース２１１の突条２２５に対応して連続して延びる凹部２２６が形成されており、この凹部２２６には、連続したシール材料つまりシールリング２２７が配置されて、上ケース２１１と下ケース２１２とを合体させると、上ケース２１１の突条２２５が下ケース２１２の凹部２２６に嵌入してシールリング２２７を押し潰し、これにより上ケース２１１と下ケース２１２との間のシールが形成される。
【００４７】
下ケース２１２のレーザ光透過窓２０には、図１２に図示の光走査型スキャナモジュール２３０が配置される。スキャナモジュール２３０は、縦約２０〜３０ｍｍ、横約１０〜１５ｍｍ、高さ約５〜１０ｍｍの比較的扁平な直方体の外形形状を有する薄型モジュールであり、側壁に、比較的大きな矩形のレーザ光出入口２３１が形成され、この出入口２３１に臨んで可動ミラー（ガルバノミラー）２３２が内蔵されている。
【００４８】
図１３は、スキャナモジュール２３０の光学系の基本構成を示す。スキャナモジュール２３０は、半導体レーザ発光素子２３１と、ガルバノミラー２３２と、集光ミラー２３３と、フィルタ板２３４と、フォトダイオード２３５とを含む。
【００４９】
半導体レーザ発光素子２３１が発したレーザ光は、集光ミラー２３３の小孔２３３ａを通過して、所定の周期で揺動するガルバノミラー２３２で反射してレーザ光出入口２３１を通じてモジュール２３０から外部に出る。ガルバノミラー２３２は、所定の周期で揺動して、反射光の出射角度を一定の範囲で変化させ、これにより、バーコードを走査することができる。モジュール２３０への入射光は、レーザ光出入口２３１を通じてモジュール２３０の内部に入り、集光ミラー２３３で反射した後、フィルタ板２３４を通ってフォトダイオード２３５で受光される。
【００５０】
図１４は、スキャナモジュール２３０の光走査機構を説明するための図である。ガルバノミラー２３２は、ミラー本体２４０と、このミラー本体２４０に固設された一対のマグネット２４１とを有する。ミラー本体２４０はその中央から鉛直方向に延びる可撓性支柱２４２を有し、支柱２４３は、その基端がモジュール２３０に固定されている。ガルバノミラー２３２は、可撓性支柱２４３を挟んで一対のコイル２４３を更に有する。コイル２４１を高周波電流で励磁すると、マグネット２４１がコイル２４３に対して接近離反を繰り返し、これによりミラー本体２４０の反射面がコイル２４３の励磁電流の周波数に対応した周波数で所定角度の揺動を繰り返す。
【００５１】
スキャナモジュール２３０は、その上面に載置されるスキャナ用アナログ基板２４５（図１３、図１５）を更に有し、このスキャナ基板２４５には、フォトダイオード２３５から出力される受光信号を処理する受光回路２４６と増幅回路２４７が設けられ、また、ガルバノミラー２３２を駆動するミラー駆動回路２４８が設けられている。
【００５２】
スキャナモジュール２３０は、図１５に示すように、樹脂成型品からなるホルダ２５０に収容されて下ケース２１２のレーザ光透過窓２０に整合した状態で装着される。ホルダ２５０は、スキャナモジュール２３０と実質的に同じ形状のスキャナモジュール２３０を保持するためのモジュール用ホルダとしてのモジュール収容ボックス部２５１を有し、このモジュール収容ボックス部２５１は、ボックス部２５１の開口を覆う平板状の蓋部２５２を含み、この蓋部２５２の内面には平板状ゴムなどの弾性シール材又はクッション材２５３が貼着されている。モジュール収容ボックス部２５１の中にスキャナモジュール２３０を収容した後に蓋部２５２を固定することにより、蓋部２５２とモジュール収容ボックス部２５１との間のシール材２５３によってスキャナモジュール２３０はホルダ２５０内に密閉状態で保持される。
【００５３】
ホルダ２５０は、図１６にも示すように、モジュール収容ボックス部２５１の隣にミラー用ホルダ部２５５を有し、このミラー用ホルダ部２５５は、モジュール収容ボックス部２５１の側方に傾斜して延びており、このミラー用ホルダ部２５５の内面に平板状の反射ミラー２５６が配設されている。
【００５４】
ミラー用ホルダ部２５５とモジュール収容ボックス部２５１との間には開口２５７が形成されている。この開口２５７は、モジュール収容ボックス部２５１内に収容されたスキャナモジュール２３０のレーザ光出入口２３１に対応する部分に設けられている。
【００５５】
図１７は、下ケース２１２のレーザ光透過窓２０に臨ませてホルダ２５０を装着した状態を示す。ホルダ２５０の収容されたスキャナモジュール２３０から出射されたレーザ光は、ミラー用ホルダ部２５５に配置された平板状の反射ミラー２５６によって、ＨＴ本体２のレーザ光透過窓２０からレーザ光がθ＝６０度の角度で出射して図外のバーコードに向い（図３）、バーコードからの反射光をスキャナモジュール２３０が受光することができる。なお、図１７は、下ケース２１２の凹所２３に充電池ユニット３を取り付けた状態で示してある。
【００５６】
ＨＴ本体２には、メイン基板６０（図１８）とキー基板６１（図１９）の２枚のプリント回路基板が内蔵される。後に説明するように、メイン基板６０には、制御用ＣＰＵを含む回路規模の比較的大きなメイン回路が組み込まれており、他方、キー基板６１には、その下面に電源部２０７やノイズフィルタが組み込まれている。
【００５７】
メイン基板６０は、ＨＴ本体２の表示部つまりＬＣＤ７が配置される部分に適合する大きさを有し、下ケース２１２のレーザ光透過窓２０に臨ませてホルダ２５０を装着した後に、このホルダ２５０を覆うようにして、ＨＴ本体２の表示部９つまり上部分にメイン基板６０が装着される（図２０）。他方、キー基板６１は、ＨＴ本体２の操作部９つまり作業者が把持する下部分に対応する大きさを有し、このＨＴ本体２を作業者が把持する下部分に対応する下ケース２１２の部分に装着される（図２１）。
【００５８】
図２２は、ケース２１２にメイン基板６０とキー基板６１とを装着すると共に、メイン基板６０にＬＣＤ７のモジュール６２を組み付けた状態を示す。しかる後に、下ケース２１２に上ケース２１１を取り付けることにより、ＨＴ本体２の組み立てが完了する。
【００５９】
メイン基板６０とキー基板６１の回路構成を図２３に示す。ＨＴ本体２の下部に位置する操作部９つまり把持部に配置されるキー基板６１には、金属接触などによる静電気などの侵入を防止するために、ノイズフィルタ６１０ａ〜６１０ｅが設けられ、電源端子２４ａ、充電端子２１、キー入力部９からの入力はノイズフィルタ６１０ａ〜６１０ｅを介して行われる。
【００６０】
このノイズフィルタ群６１０は、図１９から理解できるように、キー基板６１の下端部に集合して配置されている。すなわち、キー基板６１の下端領域には、充電端子２１や端子群２４が配置され、その上方領域にノイズフィルタ群６１０ａ〜６１０ｆが配置され、次いで、その上の領域に電源部２０７が設けられている。図１９に示す参照符号６１２は、バックアップ用電池を示す。電源部２０７からの電力は、比較的弱いノイズフィルタ６１３を介して各デバイスに電源が供給される。
【００６１】
ＨＴ本体２のＬＣＤ７が配置される上部に、上述したように、メイン基板６０が配置されるが、このメイン基板６０はＣＰＵバス６０１を介してＣＰＵ２０１とＲＯＭ２０２などが接続されており、バス６０１には、バイブレータ６０２やブザー６０３などが接続されている。
【００６２】
バイブレータ６０２とブザー６０３は、ＨＴ本体２のＬＣＤ７が配置される上部に配置される。ブザー６０３について説明すると、下ケース２１２の上部の側壁に複数の小孔７０（例えば図３）が設けられ、この小孔７０に対向する部分にブザー６０３を装着するためのブザー取付部７１が形成されている（図２４）。
【００６３】
また、下ケース２１２の上部には、スキャナモジュール２３０のホルダ２５０の下方に隣接してバイブレータ６０２を装着するためのバイブレータ取付部７２（図２４）が形成され、バイブレータ６０２はその略全周を弾性シート７３で包囲した状態で装着される。
【００６４】
ブザー６０３は、図２５に示すように、閉磁路を形成するＦｅ製の２つの分割磁気シールド部材７３、７４で囲んだ状態でブザー取付部７１に装着される。バイブレータ６０２についても、同様に磁気シールドで包囲するのがよい。
【００６５】
このように、ブザー６０３などの磁性体を含む部品を磁気シールドで包囲したことから、その近傍にスキャナモジュール２３０を配置しても、磁気によるスキャナモジュール２３０に対する悪影響を回避することができる。
【００６６】
ちなみに、従来にあっては、一つの手法として、ブザー６０３などの磁性体をスキャナモジュール２３０から遠ざけて配置するようにしていたため、ハンディターミナルの大型化の要因となっていた。また、他の従来の手法としては、圧電タイプのブザーを採用していたが、圧電タイプのブザーで比較的大きな音を発生させるには、高い電圧が必要であり、また、比較的高額であり、また大きいことから、この他の手法にあっても、ハンディターミナルの大型化の要因となっていた。
【００６７】
ＨＴ本体２の防塵性を確保するのであれば、図１６から理解できるように、樹脂成形ホルダ２５０のミラー用ホルダ２５５に側壁２５８を設けて、このミラー用ホルダ部２５５に下ケース２１２と当接する周囲座２５９を形成するのがよい。
【００６８】
このホルダ２５５の周囲座２５９は、下ケース２１２のレーザ光透過窓２０の周縁部分と当接することができるが、このレーザ光透過窓２０の周囲にゴムシートなどの平板状のシール材料２３９（図１０）を配置して、このシール材料２３９を介してホルダ２５５の周囲座２５９を下ケース２１２に着座させるのがよい。これによれば、ホルダ２５５の唯一の開口であるミラー用ホルダ部２５５の側部が側壁２５８で閉鎖されていることから、シール材料２３９によってレーザ光透過窓（フィルタ）２０からスキャナモジュール２３０までの経路を密閉することができる。
【００６９】
また、ＨＴ本体２の防塵対策として、上ケース２１１と下ケース２１２との間に配置したシールリング２２７に加えて、小孔７０（例えば図３）によって外部と連通したブザー取付部７１の回りに図示を省略した円周シール材料を配置させて、包囲部材７３、７４で囲んだブザー６０３を取り付けるようにするのがよい。なお、図２５から理解できるように、ブザー６０３のビビリ音の発生を抑えるために、外方に位置する一方の分割包囲部材７４の穴の回りに例えばゴム性の弾性円周リング７６が配置されている。
【００７０】
実施例のＨＴ本体２によれば、スキャナモジュール２３０と反射ミラー２５６とを、一体成形ホルダ２５０によって保持するようにしたため、反射ミラー２５６をスキャナモジュール２３０に接近した状態で配置することが可能であり、反射ミラー２５６を小型にすることができ、これにより全体として小型化することが可能である。この効果は、スキャナモジュール２３０として小型のモジュールを採用することで一層顕著なものとなり、一体成形ホルダ２５０も小型化することができる。したがって、一体成形ホルダ２５０が配置されるＨＴ本体２の表示部つまり上部に、空間的に余裕を提供することができ、この空間的な余裕を利用して、ＣＰＵやＲＡＭなどの比較的大きなデバイスを組み込んだメイン基板６０をＨＴ本体２の上部にスキャナモジュール２３０などと一緒に収容することができる。
【００７１】
そして、ＨＴ本体２の下部つまり操作部９に配置するキー基板６１に電源回路などを組み込んだとしても、この下部に従来ではメイン基板を収容することに比べれば、操作部９を扁平にすることができる。
【００７２】
また、キー基板６１の下端に、静電気発生源、つまり静電気の侵入部である金属接触端子の電源端子２４ａ、充電端子２１を配置し、その上方にノイズフィルタ６１０ａ〜６１０ｅを配置し、その上方に、電源回路を組み込む構成を採用することにより、静電気発生源をＣＰＵなどを実装したメイン基板６０から距離的に離して電磁誘導による影響を抑えることができるだけでなく、充分に強力なノイズフィルタ６１０ａ〜６１０ｅを介在させることができる。また、実質的にノイズフィルタの機能を発揮する電源部２０７をノイズフィルタ６１０ａ〜６１０ｅの上方に配置したことから、静電気などの外来ノイズの影響を更に抑えることができ、ＣＰＵの暴走やデータ消失の事故の発生を防止することができる。
【図面の簡単な説明】
【図１】実施例のバーコードハンディターミナルシステムの全体概要図である。
【図２】実施例のハンディターミナルをほぼ正面から見た図である。
【図３】シリアル通信ユニットを装着した実施例のハンディターミナルを斜め後方から見た斜視図である。
【図４】ＨＴ本体を斜め後方から見た斜視図である。
【図５】実施例のＨＴ本体の下部を抽出して示す部分拡大図である。
【図６】実施例のＨＴ本体の下端を抽出して示す部分拡大図である。
【図７】実施例のハンディターミナルと一緒に用いられる置き台を斜め上方から見た斜視図である。
【図８】ＨＴ本体及び置き台の回路ブロック図である。
【図９】シリアル通信ユニットの回路ブロック図である。
【図１０】実施例のＨＴ本体の上ケースと下ケースとを分離した状態で示す斜視図である。
【図１１】上ケースと下ケースとのシール構造を説明するための図１０のＸ１１−Ｘ１１線に沿った部分断面図である。
【図１２】実施例のＨＴ本体で採用したスキャナモジュールの斜視図である。
【図１３】スキャナモジュールの内部構造を説明するための図である。
【図１４】スキャナモジュールから出射するレーザ光を走査させるための機構を説明するための図である。
【図１５】スキャナモジュール及び反射ミラーを保持するためのホルダの分解斜視図である。
【図１６】図１５に図示のホルダを図１５とは反対側から見た斜視図である。
【図１７】下ケースにホルダを装着した状態を示す図である。
【図１８】ＨＴ本体の上部に内蔵されるメイン基板を示す図である。
【図１９】ＨＴ本体の下部に内蔵されるキー基板を示す図である。
【図２０】下ケースにメイン基板を装着した状態を示す図である。
【図２１】下ケースにメイン基板とキー基板とを装着した状態を示す図である。
【図２２】下ケースに装着したメイン基板にＬＣＤモジュールを取り付けた状態を示す図である。
【図２３】メイン基板とキー基板とに搭載した各種の回路をメイン基板とキー基板とに分けて説明するための図である。
【図２４】下ケースの上部分にスキャナモジュールに隣接して設けたブザー取付部を示すための部分斜視図である。
【図２５】ブザーの回りに磁気シールを構成ための部材を分離して示す分解斜視図である。
【図２６】一つ形式の従来のバーコードハンディターミナルの構成を説明するための図である。
【図２７】図２６に図示のハンディターミナルの問題点を説明するための図である。
【図２８】他の形式の従来のバーコードハンディターミナルの構成を説明するための図である。
【図２９】別の形式の従来のバーコードハンディターミナルの構成を説明するための図である。
【図３０】本発明のバーコードハンディターミナルの基本構成を説明するための図である。
【図３１】本発明の実施の形態でのバーコードハンディターミナルの構成を説明するための図である。
【図３２】本発明のバーコードハンディターミナルの基板構造の変形例を説明するための図である。
【符号の説明】
１    バーコードハンディターミナル
２    ＨＴ本体
３    充電池ユニット
４    乾電池ボックス
５    シリアル通信ユニット
７    ＬＣＤ
９    キー入力部
２０    レーザ光透過窓（フィルタ）
２１    充電端子
２４ａ  電源端子
６０    メイン基板
６１    キー基板
２０１    ＣＰＵ
２０６    電源部
２３０    スキャナモジュール
２５０    一体構造ホルダ
２５５    ミラー用ホルダ部
２５６    反射ミラー
６１０    ノイズフィルタ
【図１】
2004220504.tif 000003
【図２】
2004220504.tif 000004
【図３】
2004220504.tif 000005
【図４】
2004220504.tif 000006
【図５】
2004220504.tif 000007
【図６】
2004220504.tif 000008
【図７】
2004220504.tif 000009
【図８】
2004220504.tif 000010
【図９】
2004220504.tif 000011
【図１０】
2004220504.tif 000012
【図１１】
2004220504.tif 000013
【図１２】
2004220504.tif 000014
【図１３】
2004220504.tif 000015
【図１４】
2004220504.tif 000016
【図１５】
2004220504.tif 000017
【図１６】
2004220504.tif 000018
【図１７】
2004220504.tif 000019
【図１８】
2004220504.tif 000020
【図１９】
2004220504.tif 000021
【図２０】
2004220504.tif 000022
【図２１】
2004220504.tif 000023
【図２２】
2004220504.tif 000024
【図２３】
2004220504.tif 000025
【図２４】
2004220504.tif 000026
【図２５】
2004220504.tif 000027
【図２６】
2004220504.tif 000028
【図２７】
2004220504.tif 000029
【図２８】
2004220504.tif 000030
【図２９】
2004220504.tif 000031
【図３０】
2004220504.tif 000032
【図３１】
2004220504.tif 000033
【図３２】
2004220504.tif 000034